(57)【要約】
【課題】幼児及び児童が靴を履く際に良く見られる蝶々履きを防止し、かつ左右正しく靴を履けるようになることを補助する幼児や児童向けの靴中敷の提供。
【解決手段】左足用靴中敷、右足用靴中敷及びこれら靴中敷のそれぞれの踵部表面に形成又は接着された印刷層又はシートからなり、該印刷層又はシートには、該左足用靴中敷及び該右足用靴中敷を正しく揃えると、一つの図柄が完成するような図柄が描かれていることを特徴とする左右一揃えの靴中敷。
【選択図】図１
0003101313.tif 000002
【実用新案登録請求の範囲】
【請求項１】
左足用靴中敷、右足用靴中敷及びこれら靴中敷のそれぞれの踵部表面に形成又は接着された印刷層又はシートからなり、該印刷層又はシートには、該左足用靴中敷及び該右足用靴中敷を正しく揃えると、一つの図柄が完成するような図柄が描かれていることを特徴とする左右一揃えの靴中敷。
【請求項２】
前記図柄が、左右対称な図柄であって、その対称図柄の左右の図柄部分が、前記左右の印刷層又はシートにそれぞれ描かれていることを特徴とする請求項１記載の靴中敷。
【請求項３】
前記図柄が、動物、植物、乗物又はキャラクターの図柄であることを特徴とする請求項１記載の靴中敷。
【考案の詳細な説明】
【技術分野】
【０００１】
本考案は、靴中敷に係り、より詳しくは幼児や児童の注意を惹きやすいだけでなく、幼児や児童が靴を履く際に起きやすい一般に蝶々履きと呼ばれる左右の靴の履き違えを防止し、左右正しく靴を履くことができるようしつけることができる幼児や児童向けの靴中敷に関する。
【背景技術】
【０００２】
従来、靴を履くことによって生じてくる靴の中の臭気、湿気、菌類の繁殖等の問題の解決を課題とした靴中敷に関する発明又は考案は数多く提案されているが（脱臭抗菌性靴中敷き（特許文献１参照。）及び靴水虫予防靴中敷（特許文献２参照。）等）、主に幼児や児童が靴を履く際に生じやすい特有の問題を解決することができる靴中敷についての発明又は考案は、これまで殆どなされていない。
【特許文献１】特開２００１−０８７００８号公報
【特許文献２】特開２００３−２１０２０５号公報
【０００３】
すなわち、幼児や児童が靴を履く際の実際問題の一つとして、特に、幼児や児童は、靴の左右が分からず、また大人と違い足が柔らかいので左右逆に靴を履くことができ、そのまま普通に走ることもできるので、良く蝶々履きをしてしまうという問題がある。当然、靴を蝶々履きして、歩いたり、走ったりすることは、足に大きな負担がかかるので足の健康及び成長に悪影響を及ぼし、又つまずき、転倒等によって怪我をする大きな原因ともなる。しかしながら、このような問題があるにもかかわらず、この問題を解決するような発明又は考案はこれまで特になされていない。
【考案の開示】
【考案が解決しようとする課題】
【０００４】
本考案は、かかる従来の事情を考慮してなされたものであって、その課題とするところは、幼児や児童が靴を履く際に良く見られる蝶々履きを防止し、かつ左右正しく靴を履くことができるようしつけることができる幼児や児童向けの靴中敷の提供にある。
【課題を解決するための手段】
【０００５】
本考案は、前記課題を解決するために、工夫されたものであって、より詳しくは、左足用靴中敷、右足用靴中敷及びこれら靴中敷のそれぞれの踵部表面に形成又は接着された印刷層又はシートからなり、該印刷層又はシートには、該左足用靴中敷及び該右足用靴中敷を正しく揃えると、一つの図柄が完成するような図柄が描かれていることを特徴とする左右一揃えの靴中敷に関する。
【０００６】
前述の該印刷層又はシートには、該左足用靴中敷及び該右足用靴中敷を正しく揃えると、一つの図柄が完成するような図柄が描かれている。これは、印刷層又はシートに描かれる一つの図柄が左右の図柄部分に分けられ、その左の図柄部分が、左足用靴中敷の印刷層又はシートに、その右の図柄部分が、右足用靴中敷の印刷層又はシートに描かれ、そして、左右一対の靴中敷を靴に装入し、左右の靴を正しく揃えた時、一つの図柄が完成し、何を対象として絵が描かれていたか判るようになることを意味する。
【０００７】
本考案の好ましい態様は、前記図柄が、左右対称な図柄であって、その対称図柄の左右の図柄部分が、前記左右の印刷層又はシートにそれぞれ描かれていることを特徴とする靴中敷に関する。
【０００８】
更に、本考案の好ましい態様は、前記図柄が、動物、乗物、植物又はキャラクターの図柄であることを特徴とする靴中敷に関する。
【考案の効果】
【０００９】
本考案の靴中敷は、靴の中に動物、乗物、植物又はキャラクター等の幼児や児童の好きな図柄が靴の中に見えるように、靴中敷の踵部表面に印刷層又は印刷シートとして形成又は接着されているので、幼児や児童は、本考案の靴中敷を使用した靴に、興味を示し、好んで履く。更に、その図柄は、靴を左右正しく揃えないと完成しないよう形成又は接着されているので、幼児や児童は好きな図柄を見るために、靴を左右正しく揃えてから、靴を履くようになり、また幼児や児童が靴を履く際、親がいちいち靴を履かせなくとも、親が靴の中に図柄を完成させてから、靴を履くように注意すれば、幼児や児童は、図柄を揃えることによって、一人で靴を履けるようになる。その結果、蝶々履きの防止にもつながり、かつ、図柄を完成させるために、左右を正しく靴を揃えて履いている内に、靴の左右の形の違いを正しく認識できるようにもなるので、靴を左右正しく靴を履くことができるようしつけることができる。
【考案を実施するための最良の形態】
【００１０】
以下、本考案を図面を参照にしてより具体的に説明する。
図１は、実施例１の靴中敷を示す平面図である。図２は、実施例２の靴中敷を示す平面図である。図３は、実施例３の靴中敷を示す平面図である。図４は、実施例４の靴中敷を示す平面図である。図５は、図１の靴中敷のａ−ａ'線における断面図である。図６は、図４の靴中敷のｂ−ｂ'線における断面図である。
【００１１】
実施例１
図１に図示する靴中敷１は、左足用靴中敷２、右足用靴中敷３及び印刷層４とから構成されている。左足用靴中敷２及び右足用靴中敷３の各踵部表面６には、印刷層４が形成され、その印刷層４には、左右対称なウサギの顔の図柄５（５ａ、５ｂ）が描かれている。そのウサギの顔の図柄５は、左足用靴中敷２及び右足用靴中敷３を正しく揃えた場合にのみ完成するよう、左右の図柄部分５ａ、５ｂに分けられ、ウサギの顔の左側部分の図柄５ａが左足用靴中敷２の印刷層４に、ウサギの顔の右側部分の図柄５ｂが右足用靴中敷３の印刷層４にそれぞれ描かれている。
左足用靴中敷２及び右足用靴中敷３は、基本的に図５に示したような、表生地９、中間材１０及び裏生地１１を上から順次積層した３層構造のものであり、表生地９の上に印刷層４が印刷されている。従来通り、表生地９は通気性の高い織物地もしくは編物地等からなり、中間材１０は樹脂モノフィラメントの織物地等からなり、裏生地１１は樹脂モノフィラメントの織物地からなる。
これら表生地９、中間材１０および裏生地１１を構成する素材としては、例えばポリエステル、ポリプロピレン、ポリアミド（ナイロン）、ポリ塩化ビニル、ポリ塩化ビニリデン等が挙げられる。表生地９の材質としては、ポリエステルまたはポリプロピレンを主材とする織物地が好ましく、中間材１０及び裏生地１１の材質としてはポリ塩化ビニリデンのモノフィラメントが好ましい。また、これらの生地に使用される織物地の織り方、編物地の編み方は特に限定されるものではなく、例えばダブルラッシェル織りの織布、蜂巣織り、トリコット編み、メッシュ編みなどの編物地が利用され得る。
このような靴中敷１は、例えば、表生地９に印刷層４として図柄５を印刷した後、表生地９、中間材１０及び裏生地１１を、上から順次重ね合せた積層体を加圧加熱し、靴中敷形状に溶断し、同時にその周縁部を接着するという慣用の方法によって製造され得る。
これらの構成により、本考案の靴中敷１を装入した靴を左右逆に揃えて、靴を真上から見ても、靴の中に、何の図柄が描かれているのか容易には判らないが、左右正しく揃えることによって初めて、靴の中にウサギの顔の図柄５が完成し、描かれていた図柄５が何か容易に判る仕組みとなっている。
【００１２】
実施例２
図２に図示する靴中敷１は、左足用靴中敷２、右足用靴中敷３及び印刷層４とから構成されている。左足用靴中敷２及び右足用靴中敷３の各踵部表面６には、印刷層４が形成され、その印刷層４には、左右対称なカエルの顔の図柄７（７ａ、７ｂ）が描かれている。そのカエルの顔の図柄７は、左足用靴中敷２及び右足用靴中敷３を正しく揃えた場合に初めて完成するよう、左右の図柄部分７ａ、７ｂに分けられ、カエルの顔の左側部分の図柄７ａが左足用靴中敷２の印刷層４に、カエルの顔の右側部分の図柄７ｂが右足用靴中敷３の印刷層４にそれぞれ描かれている。
図２の靴中敷１（左足用靴中敷２及び右足用靴中敷３）の構造、素材及び製造方法は、実施例１の説明で記載した通りである。
これらの構成により、この靴中敷１を装入した靴は、左右逆に揃えて、靴を真上から見ても、靴の中に、何の図柄が描かれているのか容易には判らないが、左右正しく揃えることによって初めて、靴の中にカエルの顔の図柄７が完成し、描かれていた図柄７が何か容易に判る。
更に、上述の形態によれば、靴中敷１の印刷層４には、カエルの顔の図柄７が描かれているので、実施例１のウサギの顔の図柄５の靴中敷１に比べ、男の子の注意を惹きやすいであろう。
【００１３】
実施例３
図３に図示する靴中敷１は、左足用靴中敷２、右足用靴中敷３及び印刷層４とから構成されている。左足用靴中敷２及び右足用靴中敷３の各踵部表面６には、印刷層４が形成され、その印刷層４には、ジェット機の図柄８（８ａ、８ｂ）が描かれている。図１及び図２の図柄とは異なり、左右対称ではないが、ジェット機の図柄８は、左足用靴中敷２及び右足用靴中敷３を正しく揃えた場合に完成するよう、ジェット機の前方部分の図柄（左側部分の図柄８ａ）及びジェット機の後方部分の図柄（右側部分の図柄８ｂ）に分けられ、ジェット機の前方部分の図柄（左側部分の図柄８ａ）が左足用靴中敷２の印刷層４に、ジェット機の後方部分の図柄（右側部分の図柄８ｂ）が右足用靴中敷３の印刷層４にそれぞれ描かれている。
図３の靴中敷１の構造、素材及び製造方法は、実施例１の説明で記載した通りである。これらの構成により、この靴中敷１を装入した靴は、左右逆に揃えて、靴を真上から見ても、靴の中に、何の図柄が描かれているのか容易には判らないが、左右正しく揃えることによって初めて、靴の中にジェット機の図柄８が完成し、描かれていた図柄８が何か容易に判る。
以上のように、図柄の左右対称性の有無に関係なく、一つの図柄を左右の図柄部分に分け、その左の図柄部分を、左足用靴中敷の印刷層に、その右の図柄部分を、右足用靴中敷の印刷層に描かれていれば良く、要は、左右の靴中敷を正しく揃えたとき、一つの図柄が完成するものであれば良い。
【００１４】
又、本考案の靴中敷には、印刷層の代わりに印刷シートを用いることもできる。
実施例４
図４に図示する靴中敷１は、左足用靴中敷２、右足用靴中敷３及び印刷シート１２とから構成されている。印刷シート１２は、左足用靴中敷２及び右足用靴中敷３の各踵部表面６に図柄１３（１３ａ、１３ｂ）が位置するよう、左足用靴中敷２及び右足用靴中敷３に接着されている。その印刷シート１２には、左右対称なひまわりの図柄１３が描かれている。ひまわりの図柄１３は、左足用靴中敷２及び右足用靴中敷３を正しく揃えた場合に初めて完成するよう、左右の図柄部分１３ａ、１３ｂに分けられ、ひまわりの左側部分の図柄１３ａが左足用靴中敷２の印刷シート１２に、ひまわりの右側部分の図柄１３ｂが右足用靴中敷３の印刷シート１２にそれぞれ描かれている。
印刷シート１２を用いた図４の靴中敷１は、図６に示したように印刷シート１２、表生
地９、中間材１０及び裏生地１１を上から順次積層した４層構造である。
表生地９、中間材１０及び裏生地１１は実施例１の説明で記載した通りであり、印刷シート１２としては、アクリル樹脂、スチレン樹脂、アルキッド樹脂等の合成樹脂の表面に印刷インキを用いて図柄を印刷したシート材が使用される。
また、該シート材は、図柄１３（１３ａ、１３ｂ)の形状をしており、その裏面には感圧性又は感熱性の接着剤が塗布されている。
このような靴中敷１は、表生地９、中間材１０及び裏生地１１を、上から順次重ね合せた積層体を加圧加熱し、靴中敷形状に溶断し、同時にその周縁部を接着した後、印刷シート１２を、左足用靴中敷２及び右足用靴中敷３の各踵部表面６に配置し、加圧加熱により接着するという方法によって製造され得る。
また、所定の図柄が印刷された印刷シートを予め左足用靴中敷及び右足用靴中敷の各踵部表面上に配置し、表生地、中間材及び裏生地の積層体を靴中敷形状に溶断接着すると同時に、印刷シートを左足用靴中敷及び右足用靴中敷の各踵部表面に接着することによっても製造され得る。
これらの構成により、この靴中敷１を装入した靴は、左右逆に揃えて、靴を真上から見ても、靴の中に、何の図柄が描かれているのか容易には判らないが、左右正しく揃えることによって初めて、靴の中にひまわりの図柄１３が完成し、描かれていた図柄１３が何か容易に判る。
【００１５】
上述したような本考案の靴中敷において、印刷層又はシートに描かれる図柄としては、左足用靴中敷及び右足用靴中敷を正しく揃えると、一つの図柄が完成するよう、一つの図柄を左右の図柄部分に分け、その左の図柄部分を、左足用靴中敷の印刷層又はシートに、その右の図柄部分を、右足用靴中敷の印刷層又はシートに描かれれば良いのだから、様々な形の図柄が考えられる。
【００１６】
また、印刷層又はシートに描かれる図柄としては、幼児や児童の注意を惹き、靴中敷を入れた靴を幼児や児童が好んで履くようなもの、例えば、彼ら、彼女らの好む動物、乗物、植物又はキャラクター等の図柄が選定され、特に幼児や児童の性別、年齢及び流行に合せたものであることが好ましい。
【図面の簡単な説明】
【００１７】
【図１】図１は、実施例１の靴中敷を示す平面図である。
【図２】図２は、実施例２の靴中敷を示す平面図である。
【図３】図３は、実施例３の靴中敷を示す平面図である。
【図４】図４は、実施例４の靴中敷を示す平面図である。
【図５】図５は、図１の靴中敷のａ−ａ'線における断面図である。
【図６】図６は、図４の靴中敷のｂ−ｂ'線における断面図である。
【符号の説明】
【００１８】
１．靴中敷  ２．左足用靴中敷  ３．右足用靴中敷  ４．印刷層  ５．図柄  ５ａ．左側部分の図柄  ５ｂ．右側部分の図柄  ６．踵部表面  ７．図柄  ７ａ．左側部分の図柄
７ｂ．右側部分の図柄  ８．図柄  ８ａ．左側部分の図柄  ８ｂ．右側部分の図柄  ９．表生地  １０．中間材  １１．裏生地  １２．印刷シート  １３．図柄  １３ａ．左側部分の図柄  １３ｂ．右側部分の図柄
【図１】
0003101313.tif 000003
【図２】
0003101313.tif 000004
【図３】
0003101313.tif 000005
【図４】
0003101313.tif 000006
【図５】
0003101313.tif 000007
【図６】
0003101313.tif 000008